(57)【要約】【課題】共振周波数のシフトの変化によらず、記録媒体と確実に通信することである。【解決手段】ループアンテナ３０は、コイルと、当該コイルに並列に接続されたコンデンサと、を有する回路部３０Ａ，３０Ｂを備える。回路部３０Ａ，３０Ｂは、直列に接続される。回路部３０Ａ，３０Ｂの共振周波数は、互いに異なるとともに、それぞれ、情報が記録される記録媒体との通信時に、通信用周波数にシフトする周波数に設定される。各回路部３０Ａ，３０ＢのＱ値は、回路部３０Ａ，３０Ｂの共振周波数のシフト後に、前記記録媒体との通信に要する誘導起電力を当該記録媒体に発生させる値に設定されている。【選択図】図１
2010252203.tif 000002
【特許請求の範囲】
【請求項１】
コイルと、当該コイルに並列に接続されたコンデンサと、を有する回路部を複数備え、
前記複数の回路部は、直列に接続され、
前記複数の回路部の共振周波数は、互いに異なるとともに、それぞれ、情報が記録される記録媒体との通信時に、通信用周波数にシフトする周波数に設定され、
前記各回路部のＱ値は、当該回路部の共振周波数のシフト後に、前記記録媒体との通信に要する誘導起電力を当該記録媒体に発生させる値に設定されているループアンテナ。
【請求項２】
前記複数の回路部の共振周波数は、それぞれ、前記記録媒体との間の異なる距離に対応して、前記記録媒体との通信時に、前記通信用周波数にシフトする周波数に設定されている請求項１に記載のループアンテナ。
【請求項３】
前記複数の回路部の共振周波数は、それぞれ、一緒に使用される前記記録媒体の異なる数に対応して、前記記録媒体との通信時に、前記通信用周波数にシフトする周波数に設定されている請求項１又は２に記載のループアンテナ。
【請求項４】
請求項１から３のいずれか一項に記載のループアンテナと、
前記ループアンテナを介して前記記録媒体と通信する通信手段と、
前記通信手段を制御する制御手段と、を備える電子機器。
【発明の詳細な説明】
【技術分野】
【０００１】
本発明は、ループアンテナ、及びループアンテナを有する電子機器に関する。
【背景技術】
【０００２】
従来、誘導電磁結合方式のＲＦＩＤ（Radio frequency Identification）アンテナとしてのループアンテナ（コイルアンテナ）を有し、このループアンテナによりＩＣ（Integrated Circuit）カード又はＩＣタグ（ＲＦＩＤカード又はＲＦＩＤタグ）に記録されている情報を非接触に読み取るリーダ装置が知られている。ＩＣカードには、例えば、電子マネーや、交通機関の乗車区間等の情報が記録される。ＩＣタグは、例えば、生産される商品に付され、その商品の識別情報が記録される。
【０００３】
また、帯域幅が異なる複数の通信方式に対応して、共通のコイルを有しＱ値の切換えが可能なループアンテナを備え、所定の時間間隔でループアンテナのＱ値を切り替えるリーダ／ライタ装置が知られている（例えば、特許文献１参照）。このリーダ／ライタ装置により、複数の通信方式のＩＣカードに対して、十分な電力を供給しつつ、良好な通信が可能となる。
【先行技術文献】
【特許文献】
【０００４】
【特許文献１】特開２００７−１９９８７１号公報
【発明の概要】
【発明が解決しようとする課題】
【０００５】
誘導電磁結合方式の規格では、通信用周波数が１３．５６［ＭＨｚ］に設定されている。誘導電磁結合方式のリーダ装置の設計をする場合、ループアンテナの共振周波数が１３．５６［ＭＨｚ］よりも１〜５［ＭＨｚ］程度高めに設定されることが多い。というのは、実際にＩＣカード又はＩＣタグに記憶された情報を読み取る際に、ループアンテナのコイルとＩＣカード又はＩＣタグのコイルとの間の相互インダクタンス分と、使用者の手等、周りの材料の比誘電率の（−１／２）乗分とだけ、ループアンテナの共振周波数が低い方へシフトし、このシフト量が考慮されているからである。
【０００６】
また、ループアンテナとＩＣカード又はＩＣタグとの間の距離を小さくするにつれて、ループアンテナのコイルとＩＣカード又はＩＣタグのコイルとの間の相互インダクタンスが大きくなり、ループアンテナの共振周波数のシフト量がより大きくなる。
【０００７】
誘導電磁結合方式のリーダ装置の設計をする場合、搭載するループアンテナは、共振周波数とＱ値とを考慮して設計される。このループアンテナのＱ値（Ｑ）は、次式（１）により算出される。
Ｑ＝（２π×ｆ×Ｌ）／Ｒ  …（１）
但し、ｆ：ループアンテナの共振周波数、Ｌ：ループアンテナのコイルのインダクタンス、Ｒ：ループアンテナのコイルのオーム抵抗損又は直列抵抗である。
【０００８】
また、ループアンテナの帯域幅Ｂは、Ｑ値と次式（２）の関係を有する。
Ｂ＝ｆ／Ｑ  …（２）
【０００９】
式（１）により、リーダ装置側のコイルのインダクタンスＬを大きくしてＱ値を高くすると、ループアンテナのコイルに大きい電流を発生でき、電力伝送効率は良いが、式（２）により、Ｑ値が高くなると、帯域幅Ｂが狭くなる。帯域幅Ｂを狭くした場合、ループアンテナとＩＣカード又はＩＣタグとの間の距離を小さくすると、ループアンテナの共振周波数のシフト量が大きくなり、シフトした共振周波数が通信用周波数１３．５６［ＭＨｚ］に合わず、ＩＣカード又はＩＣタグに記録されている情報が読み取れないおそれがあった。
【００１０】
このため、一般的なＲＦＩＤでは、Ｑ値を１０〜３０程度に低くして帯域幅Ｂをある程度広げるように、リーダ装置側のループアンテナが設計されている。Ｑ値を低くすると、インピーダンスが大きくなり、ループアンテナのコイルに流れる電流が小さくなるため、ＩＣカード又はＩＣタグ側に発生する誘導起電力が小さくなる。また、ループアンテナとＩＣカード又はＩＣタグとの間の距離を長くするにつれて、ＩＣカード又はＩＣタグ側に発生する誘導起電力も小さくなっていく。このため、帯域幅Ｂをある程度広げると、ループアンテナとＩＣカード又はＩＣタグとの間の距離によっては、誘導起電力不足により、ＩＣカード又はＩＣタグに記録されている情報が読み取れないおそれがあった。
【００１１】
このため、従来のリーダ装置では、ループアンテナとＩＣカード又はＩＣタグとの間の距離を、２〜３ｃｍ程度にすることしかできなかった。このため、ループアンテナとＩＣカード又はＩＣタグとの間の距離に応じた共振周波数のシフトの変化に対応していなかった。
【００１２】
また、上記従来のループアンテナのＱ値を切り替えるリーダ／ライタ装置では、切り替え制御が必要で制御処理負担が大きいとともに、Ｑ値を切り替えても、ループアンテナとＩＣカード又はＩＣタグとの間の距離に応じた共振周波数のシフトにより、ＩＣカード又はＩＣタグに記録されている情報が読み取れないおそれがあった。
【００１３】
本発明の課題は、共振周波数のシフトの変化によらず、ＩＣカード又はＩＣタグ等の記録媒体と確実に通信することである。
【課題を解決するための手段】
【００１４】
上記課題を解決するために、請求項１に記載の発明のループアンテナは、
コイルと、当該コイルに並列に接続されたコンデンサと、を有する回路部を複数備え、
前記複数の回路部は、直列に接続され、
前記複数の回路部の共振周波数は、互いに異なるとともに、それぞれ、情報が記録される記録媒体との通信時に、通信用周波数にシフトする周波数に設定され、
前記各回路部のＱ値は、当該回路部の共振周波数のシフト後に、前記記録媒体との通信に要する誘導起電力を当該記録媒体に発生させる値に設定されている。
【００１５】
請求項２に記載の発明は、請求項１に記載のループアンテナにおいて、
前記複数の回路部の共振周波数は、それぞれ、前記記録媒体との間の異なる距離に対応して、前記記録媒体との通信時に、前記通信用周波数にシフトする周波数に設定されている。
【００１６】
請求項３に記載の発明は、請求項１又は２に記載のループアンテナにおいて、
前記複数の回路部の共振周波数は、それぞれ、一緒に使用される前記記録媒体の異なる数に対応して、前記記録媒体との通信時に、前記通信用周波数にシフトする周波数に設定されている。
【００１７】
請求項４に記載の発明の電子機器は、
請求項１から３のいずれか一項に記載のループアンテナと、
前記ループアンテナを介して前記記録媒体と通信する通信手段と、
前記通信手段を制御する制御手段と、を備える。
【発明の効果】
【００１８】
本発明によれば、ループアンテナと記録媒体との距離や記録媒体の枚数による共振周波数のシフトの変化によらず、共振周波数を通信用周波数にシフトでき、記録媒体との通信に要する記録媒体側の誘導起電力を得ることができるので、記録媒体と確実に通信できる。
【図面の簡単な説明】
【００１９】
【図１】本発明に係る実施の形態のループアンテナの構成を示す斜視図である。
【図２】ハンディターミナルの機能構成を示すブロック図である。
【図３】実施の形態のループアンテナの等価回路構成を示す図である。
【図４】ＩＣカード又はＩＣタグが無い状態における第１の回路部の周波数に対するＳパラメータを示す図である。
【図５】ＩＣカード又はＩＣタグが無い状態における第２の回路部の周波数に対するＳパラメータを示す図である。
【図６】変形例でＩＣカードが無い状態における第１の回路部、第２の回路部の周波数に対するＳパラメータを示す図である。
【発明を実施するための形態】
【００２０】
以下、添付図面を参照して本発明に係る好適な実施の形態及び変形例を詳細に説明する。なお、本発明は、図示例に限定されるものではない。
【００２１】
図１〜図５を参照して、本発明に係る実施の形態を説明する。先ず、図１〜図３を参照して、本実施の形態の装置構成を説明する。図１に、本実施の形態のループアンテナ３０の構成を示す。
【００２２】
本実施の形態のループアンテナ３０は、誘導電磁結合方式（電磁誘導方式）のＲＦＩＤアンテナとしてのループアンテナである。図１に示すように、ループアンテナ３０は、コイル３１，３２と、コンデンサ３３，３４と、を備える。また、ループアンテナ３０は、同軸ケーブル４０を介して、リーダ部１６に接続されている。
【００２３】
コイル３１，３２は、略矩形等に巻線された導線のコイルである。コンデンサ３３，３４は、積層セラミックコンデンサ等のチップコンデンサ等のコンデンサである。
【００２４】
ループアンテナ３０の２つの端点は、それぞれ、同軸ケーブル４０の芯線と、当該芯線を中心とした外部導体と、に接続されている。この接続点を給電点Ｐとする。リーダ部１６は、ループアンテナ３０を介して、ループアンテナ３０に近づけられた記録媒体としてのＩＣカード又はＩＣタグに記録された情報を読み取る。
【００２５】
次いで、図２を参照して、電子機器としてのハンディターミナル１０の機能構成を説明する。図２に、ハンディターミナル１０の機能構成を示す。
【００２６】
ハンディターミナル１０は、例えば、スーパーマーケット、コンビニエンスストア、個人商店等で使用されるハンディターミナル(携帯端末)である。ハンディターミナル１０には、ループアンテナ３０が搭載される。ハンディターミナル１０は、ループアンテナ３０を介して、棚卸作業時に、商品に付されたＩＣタグから商品の識別情報を読み取ったり、商品の精算時に、顧客の所有するＩＣカードに記録されている顧客の情報を読み取るような非接触式の読み取り機能を有する。
【００２７】
図２に示すように、ハンディターミナル１０は、制御手段としてのＣＰＵ（Central Processing Unit）１１と、操作部１２と、ＲＡＭ（Random Access Memory）１３と、表示部１４と、ＲＯＭ（Read Only Memory）１５と、通信手段としてのリーダ部１６と、ループアンテナ３０と、フラッシュメモリ１７と、通信部１８と、スキャナ部１９と、Ｉ／Ｆ（Inter Face）部２０と、を備え、ループアンテナ３０を除く各部がバス２１を介して接続されている。
【００２８】
ＣＰＵ１１は、ハンディターミナル１０の各部を中央制御する。ＣＰＵ１１は、ＲＯＭ１５に記憶されているシステムプログラム及び各種アプリケーションプログラムの中から指定されたプログラムをＲＡＭ１３に展開し、ＲＡＭ１３に展開されたプログラムとの協働で、各種処理を実行する。
【００２９】
ＣＰＵ１１は、各種プログラムとの協働により、操作部１２を介する操作情報の入力を受け付け、ＲＯＭ１５から各種情報を読み出し、フラッシュメモリ１７に各種情報の読み書きを行い、ループアンテナ３０及びリーダ部１６を介してＩＣカード又はＩＣタグに記録されている情報を読み取り、通信部１８を介して外部機器と無線通信を行い、スキャナ部１９によりバーコードのデータを読み取り、Ｉ／Ｆ部２０を介して外部機器と有線通信を行う。
【００３０】
操作部１２は、数字、文字等の入力キー、各種機能キー、スキャナ部１９のスキャンのトリガキー等の各種キーを備え、ユーザからの操作入力を受付けて操作信号を取得し、その操作信号をＣＰＵ１１に出力する。また、操作部１２は、表示部１４と一体的に、タッチパネルとして構成されることとしてもよい。
【００３１】
ＲＡＭ１３は、情報を一時的に格納する揮発性のメモリであり、実行される各種プログラムやこれら各種プログラムに係るデータ等を格納するワークエリアを有する。表示部１４は、ＬＣＤ（Liquid Crystal Display）、ＥＬＤ（Electro Luminescent Display）等で構成され、ＣＰＵ１１からの表示信号に従って各種画面表示を行う。ＲＯＭ１５は、各種プログラム、各種データが記憶されている情報読み出し専用の記憶部である。
【００３２】
リーダ部１６は、ループアンテナ３０に接続され、ＣＰＵ１１の指示に従い、ループアンテナ３０を介してＩＣカード又はＩＣタグの情報を読み取る。より具体的には、リーダ部は、ＩＣカード又はＩＣタグがループアンテナ３０の読取可能範囲に配置された状態で、ＣＰＵ１１から入力された送信信号を変調してループアンテナ３０に入力する。すると、ループアンテナ３０から発生する電磁界を介して、ＩＣカード又はＩＣタグの内蔵コイルに電流が発生し、その電流によりＩＣカード又はＩＣタグに電力供給がなされるとともに、その電流に応じた電気信号が復調され符号化されることにより、ＩＣカード又はＩＣタグ側で情報が受信される。そして、ＩＣカード又はＩＣタグにおいて、受信された情報に応答して、内蔵メモリから情報が読み出され、その情報が変調されて内蔵コイルに入力され、発生する電磁界を介して、ループアンテナ３０に電流が流れ、リーダ部１６により、その電流に応じた電気信号が復調され符号化されることにより、リーダ部１６側で応答信号として受信される。
【００３３】
フラッシュメモリ１７は、各種データ等の情報が読み出し及び書き込み可能な記憶部である。通信部１８は、無線アンテナ１８ａを有し、無線アンテナ１８ａ、アクセスポイント等を介して、外部機器と無線通信を行う。通信部１８は、ＣＰＵ１１の指示により、送信信号を変調して無線アンテナ１８ａに出力して送信用電波を放射し、また無線アンテナ１８ａにより受信された、受信電波に対応する受信信号を復調してその復調信号をＣＰＵ１１に出力する。
【００３４】
スキャナ部１９は、レーザ光等の発光部、受光部、ゲイン回路、二値化回路等を備える。スキャナ部１９において、発光部から出射された光が、商品に付されたバーコードに照射され、その反射光が受光部により受光されて電気信号に変換され、その電気信号がゲイン回路により増幅され、二値化回路により白黒のバーコードイメージのデータに変換される。このように、スキャナ部１９は、バーコードイメージを読み取り、そのバーコードイメージのデータをＣＰＵ１１に出力する。
【００３５】
Ｉ／Ｆ部２０は、ＵＳＢ（Universal Serial Bus）等の通信方式のインタフェースであり、ケーブルを介して外部機器と接続される。Ｉ／Ｆ部２０は、ケーブルを介して外部機器と情報の送受信を行う。
【００３６】
次いで、図３を参照して、ループアンテナ３０の構成を詳細に説明する。図３に、ループアンテナ３０の等価回路構成を示す。
【００３７】
図３に示すように、ループアンテナ３０の等価回路において、コイル３１とコンデンサ３３が並列に接続されている。コイル３１及びコンデンサ３３を回路部３０Ａとする。また、コイル３２とコンデンサ３４とが並列に接続されている。コイル３２及びコンデンサ３４を回路部３０Ｂとする。そして、給電点Ｐ間に、回路部３０Ａと回路部３０Ｂとが直列に接続されている。
【００３８】
回路部３０Ａの共振周波数を共振周波数Ｆ１とし、回路部３０Ｂの共振周波数を共振周波数Ｆ２とする。共振周波数Ｆ１，Ｆ２は、トムソンの式に基づく次式（３）及び次式（４）により算出される。
【数１】
2010252203.tif 000003
但し、Ｌ１：コイル３１のインダクタンス、Ｃ１：コンデンサ３３のキャパシタンス、Ｌ２：コイル３２のインダクタンス、Ｃ２：コンデンサ３４のキャパシタンス、である。
【００３９】
ここで、回路部３０Ａ及び回路部３０Ｂは、それぞれ、Ｑ値が高く設定されている。通常、ループアンテナのＱ値は、１０〜３０程度に設計されている。これに対し、本願のループアンテナ３０では、回路部３０Ａ、回路部３０ＢのＱ値が、それぞれ、６０〜８０程度に高められている。
【００４０】
回路部３０ＡのＱ値は、式（１）に、式（３）のＦ１を代入した次式（５）により算出される。回路部３０ＢのＱ値は、式（１）に、式（４）のＦ２を代入した次式（５）により算出される。
【数２】
2010252203.tif 000004
【００４１】
式（５）により、回路部３０ＡのＱ値を高めるために、例えば、Ｌ１を高めている。具体的には、コイル３１の巻線数を増加させている。また、式（６）により、回路部３０ＢのＱ値を高めるに、例えば、コイル３２の巻線数を増加させて、Ｌ２を高めている。
【００４２】
回路部３０Ａ及び回路部３０ＢのＱ値が高いため、式（１）により、ループアンテナ３０のコイル３１，３２に流れる電流が大きく、ＩＣカード又はＩＣタグ側に発生する起電力も大きくなり、電力伝送効率が高い。電力伝送効率が高いため、ループアンテナ３０とＩＣカード又はＩＣタグのとの間の距離が大きくなっても、ＩＣカード又はＩＣタグに必要な電力を供給できる。
【００４３】
回路部３０Ａ及び回路部３０ＢのＱ値を高くすると、共振周波数の帯域幅も狭くなる。また、ループアンテナ３０は、ＩＣカード又はＩＣタグとの間の距離が大きくなるにつれて、ＩＣカード又はＩＣタグのコイルとコイル３１，３２との間のインダクタンスも小さくなり、共振周波数のシフト量も小さくなるという性質を有する。従って、共振周波数の帯域幅の変化と、共振周波数のシフト量の変化とに応じて、ループアンテナ３０の共振周波数を、規格で設定されている通信用周波数（通信用周波数帯域の中心周波数）１３．５６［ＭＨｚ］に合わせることが必要である。
【００４４】
このため、回路部３０Ａの共振周波数Ｆ１は、ループアンテナ３０とＩＣカード又はＩＣタグとの間の距離が近接距離（１０ｃｍ程度）の場合に、共振周波数を１３．５６［ＭＨｚ］にシフトさせる周波数に設定される。また、回路部３０Ｂの共振周波数Ｆ２は、ループアンテナ３０とＩＣカード又はＩＣタグとの間の距離が近傍距離（７０ｃｍ程度）の場合に、共振周波数を通信用周波数１３．５６［ＭＨｚ］にシフトさせる周波数に設定される。
【００４５】
Ｑ値を６０〜８０程度に高めるとともに、ループアンテナ３０とＩＣカード又はＩＣタグとの間の距離（近説距離、近傍距離）に応じて共振周波数を通信用周波数１３．５６［ＭＨｚ］にシフトさせる共振周波数Ｆ１，Ｆ２に設定するように、回路部３０Ａ，３０Ｂのコイル３１，３２のインダクタンスＬ１，Ｌ２、コンデンサ３３，３４のキャパシタンスＣ１，Ｃ２が設定される。
【００４６】
次に、図４及び図５を参照して、ループアンテナ３０の動作を説明する。図４に、ＩＣカード又はＩＣタグが無い状態における回路部３０Ａの周波数に対するＳパラメータを示す。図５に、ＩＣカード又はＩＣタグが無い状態における回路部３０Ｂの周波数に対するＳパラメータを示す。
【００４７】
図４に示すように、ループアンテナ３０で、ＩＣカード又はＩＣタグが無い状態において、回路部３０Ａの共振周波数は、Ｓパラメータが最も小さい周波数Ｆ１となる。この状態で、ＩＣカード又はＩＣタグがループアンテナ３０との間の距離を近接距離にするよう配置される。すると、図４の矢印に示すように、回路部３０Ａの共振周波数は、周波数Ｆ１から通信用周波数１３．５６［ＭＨｚ］にシフトされる。
【００４８】
図５に示すように、ループアンテナ３０で、ＩＣカード又はＩＣタグが無い状態において、回路部３０Ｂの共振周波数は、Ｓパラメータが最も小さい周波数Ｆ２となる。この状態が、ＩＣカード又はＩＣタグがループアンテナ３０との間の距離を近傍距離にするよう配置される。すると、図５の矢印に示すように、回路部３０Ｂの共振周波数は、周波数Ｆ２から通信用周波数１３．５６［ＭＨｚ］にシフトされる。
【００４９】
また、周波数に対するＩＣカード又はＩＣタグに発生する誘導起電力は、動作周波数が共振周波数である場合に最大となる。また、ループアンテナ３０とＩＣカード又はＩＣタグとの間の距離が大きくなるにつれて、ＩＣカード又はＩＣタグに発生する誘導起電力が小さくなっていく。
【００５０】
ループアンテナ３０とＩＣカード又はＩＣタグとの間の距離が近接距離である場合に、回路部３０Ａの共振周波数のシフトにより、共振周波数が通信用周波数１３．５６［ＭＨｚ］となり、ＩＣカード又はＩＣタグに誘導起電力が発生する。ループアンテナ３０とＩＣカード又はＩＣタグとの間の距離が近傍距離である場合に、回路部３０Ｂの共振周波数のシフトにより、共振周波数が通信用周波数１３．５６［ＭＨｚ］となり、ＩＣカード又はＩＣタグに誘導起電力が発生する。また、共振周波数が通信用周波数１３．５６［ＭＨｚ］である場合に、近接距離で発生する誘導起電力＞近傍距離で発生する誘導起電力となる。
【００５１】
回路部３０Ａ、回路部３０ＢのＱ値が６０〜８０程度と高いため、ループアンテナ３０とＩＣカード又はＩＣタグとの間の距離が近接距離であっても近傍距離であっても、ループアンテナ３０とＩＣカード又はＩＣタグとの通信に要する誘導起電力がＩＣカード又はＩＣタグに発生する。いいかえれば、回路部３０Ａ、回路部３０ＢのＱ値は、ループアンテナ３０とＩＣカード又はＩＣタグとの間の距離が近接距離又は近傍距離によらず（共振周波数のシフトの変化に応じて）、ループアンテナ３０とＩＣカード又はＩＣタグとの通信に要する誘導起電力をＩＣカード又はＩＣタグに発生させるための高い値（６０〜８０程度）に設定されている。
【００５２】
以上、本実施の形態によれば、ループアンテナ３０は、コイル３１と、コイル３１に並列に接続されたコンデンサ３３と、を有する回路部３０Ａと、コイル３２と、コイル３２に並列に接続されたコンデンサ３４と、を有する回路部３０Ｂと、を備え、回路部３０Ａ，３０Ｂが直列に接続される。また、ループアンテナ３０において、回路部３０Ａ，３０Ｂの共振周波数が、互いに異なるとともに、それぞれ、ＩＣカード又はＩＣタグとの通信時に、通信用周波数１３．５６［ＭＨｚ］にシフトする周波数に設定され、各回路部３０Ａ，３０ＢのＱ値が、前記共振周波数のシフト後に、ＩＣカード又はＩＣタグとの通信に要する誘導起電力を当該ＩＣカード又はＩＣタグに発生させる高い値（６０〜８０程度）に設定されている。
【００５３】
このため、ループアンテナ３０とＩＣカード又はＩＣタグとの距離による共振周波数のシフトの変化によらず、共振周波数を通信用周波数１３．５６［ＭＨｚ］にシフトさせることができ、回路部３０Ａ，３０ＢのＱ値を高めて電力伝送効率を上げて、ＩＣカード又はＩＣタグとの通信に要するＩＣカード又はＩＣタグ側の誘導起電力を得ることができるので、ＩＣカード又はＩＣタグと確実に通信でき、ＩＣカード又はＩＣタグに記録されている情報を確実に読み取ることができる。
【００５４】
より具体的には、ループアンテナ３０において、回路部３０Ａの共振周波数は、ＩＣカード又はＩＣタグとの間の近接距離に対応して、ＩＣカード又はＩＣタグに記録されている情報の読み取り時に、通信用周波数１３．５６［ＭＨｚ］にシフトする周波数Ｆ１に設定されている。回路部３０Ｂの共振周波数は、ＩＣカード又はＩＣタグとの間の近傍距離に対応して、ＩＣカード又はＩＣタグに記録されている情報の読み取り時に、通信用周波数１３．５６［ＭＨｚ］にシフトする周波数Ｆ２に設定されている。
【００５５】
このため、ループアンテナ３０とＩＣカード又はＩＣタグとの間の距離の近接距離〜近傍距離の変化（共振周波数のシフトの変化）によらず、ＩＣカード又はＩＣタグに記録されている情報を確実に読み取ることができ、ＩＣカード又はＩＣタグの読み取り距離（通信距離）の範囲を広げることができる。
【００５６】
また、ハンディターミナル１０は、ループアンテナ３０と、ループアンテナ３０を介してＩＣカード又はＩＣタグと無線通信するリーダ部１６と、リーダ部１６を制御するＣＰＵ１１と、を備える。このため、ハンディターミナル１０において、ループアンテナ３０とＩＣカード又はＩＣタグとの間の距離の近接距離〜近傍距離の変化（共振周波数のシフトの変化）によらず、ＩＣカード又はＩＣタグに記録された情報を確実に読み取ることができる。
【００５７】
（変形例）
図６を参照して、上記実施の形態の変形例を説明する。本変形例の装置構成は、上記実施の形態と同じく、ループアンテナ３０及びハンディターミナル１０を用いる。
【００５８】
上記実施の形態では、ループアンテナ３０とＩＣカード又はＩＣタグとの間の距離が大きくなるにつれて、共振周波数のシフト量がより低い方へシフトすることを考慮し、ループアンテナ３０の回路部３０Ａ，３０Ｂのコイル３１，３２のインダクタンスＬ１，Ｌ２、コンデンサ３３，３４のキャパシタンスＣ１，Ｃ２が設定された。共振周波数が低い方へシフトする要因は、ループアンテナ３０とＩＣカード又はＩＣタグとの間の距離に限定されるものではない。
【００５９】
本変形例では、ＩＣカードが財布等に収納される等、少なくとも１枚のＩＣカードが一緒に（重ねて、まとめて）使用される場合を考える。この場合、ＩＣカード枚数が多くなるにつれて、ループアンテナ３０のコイル３１，３２とＩＣカードのコイルとの間のインダクタンスと周りの材料の比誘電率とが大きくなるため、共振周波数のシフト量も小さくなる。また、回路部３０Ａ及び回路部３０ＢのＱ値は、６０〜８０程度に高く設定される。
【００６０】
このため、ループアンテナ３０とＩＣカードとの間の距離が所定距離で、回路部３０Ａの共振周波数Ｆ１は、ＩＣカードが１枚で使用される場合に、通信用周波数１３．５６［ＭＨｚ］にシフトさせる周波数に設定される。この所定距離は、近接距離として説明するが、これに限定されるものではない。
【００６１】
また、ループアンテナ３０とＩＣカードとの間の距離が所定距離で、回路部３０Ｂの共振周波数Ｆ２は、ＩＣカードが複数枚（２枚等）で一緒に使用される場合に、通信用周波数１３．５６［ＭＨｚ］にシフトさせる周波数に設定される。
【００６２】
Ｑ値を６０〜８０程度に高めるとともに、ＩＣカードの一緒に使用する枚数（１枚、複数枚）に応じて共振周波数を通信用周波数１３．５６［ＭＨｚ］にシフトさせる共振周波数Ｆ１，Ｆ２に設定するように、回路部３０Ａ，３０Ｂのコイル３１，３２のインダクタンスＬ１，Ｌ２、コンデンサ３３，３４のキャパシタンスＣ１，Ｃ２が設定される。
【００６３】
図６に、ＩＣカードが無い状態における回路部３０Ａ，３０Ｂの周波数に対するＳパラメータを示す。図６に示すように、ループアンテナ３０で、ＩＣカードが無い状態において、回路部３０Ａの共振周波数は、Ｓパラメータが最も小さい周波数Ｆ１となる。この状態で、１枚のＩＣカードが、ループアンテナ３０との間の距離を近接距離にするよう配置される。すると、回路部３０Ａの共振周波数は、周波数Ｆ１から通信用周波数１３．５６［ＭＨｚ］にシフトされる。
【００６４】
また、図６に示すように、ループアンテナ３０で、ＩＣカードが無い状態において、回路部３０Ｂの共振周波数は、Ｓパラメータが最も小さい周波数Ｆ２となる。この状態で、複数枚のＩＣカードが、ループアンテナ３０との間の距離を近接距離にするよう配置される。すると、回路部３０Ｂの共振周波数は、周波数Ｆ２から通信用周波数１３．５６［ＭＨｚ］にシフトされる。
【００６５】
また、周波数に対するＩＣカードに発生する誘導起電力は、動作周波数が共振周波数である場合に最大となる。また、ＩＣカードの枚数が多くなるにつれて、ＩＣカードに発生する誘導起電力が小さくなっていく。
【００６６】
ＩＣカードが１枚で使用される場合に、回路部３０Ａの共振周波数のシフトにより、共振周波数が通信用周波数１３．５６［ＭＨｚ］となり、ＩＣカードに誘導起電力が発生する。ＩＣカードが複数枚で一緒に使用される場合に、回路部３０Ｂの共振周波数のシフトにより、共振周波数が通信用周波数１３．５６［ＭＨｚ］となり、ＩＣカードに誘導起電力が発生する。また、共振周波数が通信用周波数１３．５６［ＭＨｚ］である場合に、ＩＣカード１枚で発生する誘導起電力＞ＩＣカード複数枚で発生する誘導起電力となる。
【００６７】
回路部３０Ａ、回路部３０ＢのＱ値が６０〜８０程度と高いため、ＩＣカードが１枚で使用されても複数枚で使用されても、ループアンテナ３０とＩＣカードとの通信に要する誘導起電力がＩＣカードに発生する。いいかえれば、回路部３０Ａ、回路部３０ＢのＱ値は、ＩＣカードの使用枚数が１枚又は複数枚によらず（共振周波数のシフトの変化に応じて）、ループアンテナ３０とＩＣカードとの通信に要する誘導起電力をＩＣカードに発生させるための高い値（６０〜８０程度）に設定されている。
【００６８】
以上、本変形例によれば、上記実施の形態と同様に、ＩＣカードの枚数による共振周波数のシフトの変化によらず、共振周波数を通信用周波数１３．５６［ＭＨｚ］にシフトさせることができ、電力伝送効率を上げてＩＣカードとの通信に要するＩＣカード側の誘導起電力を得ることができるので、ＩＣカードと確実に通信でき、ＩＣカードに記録されている情報を確実に読み取ることができる。
【００６９】
より具体的には、ループアンテナ３０において、回路部３０Ａの共振周波数は、ＩＣカード１枚の使用に対応して、ＩＣカードに記録されている情報の読み取り時に、通信用周波数１３．５６［ＭＨｚ］にシフトする周波数Ｆ１に設定されている。回路部３０Ｂの共振周波数は、ＩＣカード複数枚の一緒の使用に対応して、ＩＣカードに記録されている情報の読み取り時に、通信用周波数１３．５６［ＭＨｚ］にシフトする周波数Ｆ２に設定されている。このため、ＩＣカードの使用枚数の変化によらず、ＩＣカードに記録された情報を確実に読み取ることができ、ＩＣカードの読み取り可能な枚数の範囲を広げることができる。
【００７０】
なお、上記実施の形態及び変形例における記述は、本発明に係るループアンテナ及び電子機器の一例であり、これに限定されるものではない。例えば、上記実施の形態及び上記変形例を組み合わせる構成としてもよい。
【００７１】
また、上記実施の形態及び変形例では、電子機器としてハンディターミナルを用いる構成としたが、これに限定されるものではない。電子機器としては、ＰＤＡ（Personal Digital Assistant）、携帯電話機等の他の携帯電子機器や、据付型のリーダ装置等、ループアンテナ３０を用いるＩＣカード又はＩＣタグの読み取り機能を有する他の電子機器としてもよい。
【００７２】
また、上記実施の形態及び変形例では、ループアンテナ３０において、並列に接続されるコイル及びコンデンサの組合せが２つ（回路部３０Ａ，３０Ｂ）である構成としたが、これに限定されるものではない。並列に接続されるコイル及びコンデンサの組合せの回路部を３つ以上とし、これら回路部を直列に接続してループアンテナを構成してもよい。
【００７３】
また、上記実施の形態では、回路部３０ＡのＱ値が、ＩＣカード又はＩＣタグとの間の近接距離に対応して、６０〜８０程度に設定されるが、これに限定されるものではない。ＩＣカード又はＩＣタグとの間の距離を近接距離未満にして、ＩＣカード又はＩＣタグに記録された情報を読み取る構成とし、回路部３０ＡのＱ値が、１０〜６０程度に設定される構成としてもよい。
【００７４】
また、上記変形例では、回路部３０Ａ，３０ＢのＱ値が、ＩＣカードとの間の近接距離に対応して、６０〜８０程度に設定されるが、これに限定されるものではない。ＩＣカードとの間の距離を近接距離以外にして、ＩＣカードに記録された情報を読み取る構成とし、回路部３０Ａ，３０ＢのＱ値が、６０〜８０程度以外に設定される構成としてもよい。
【００７５】
また、上記変形例では、ＩＣカードを１枚又は複数枚一緒に使用する構成を説明したが、これに限定されるものではない。ＩＣタグを１つ又は複数一緒に使用する構成としてもよい。
【００７６】
また、上記実施の形態及び変形例では、ハンディターミナル１０が、ループアンテナ３０を介してＩＣカード又はＩＣタグに記録された情報を読み取るリーダ部１６を備える構成としたが、これに限定されるものではない。ハンディターミナル１０が、リーダ部１６に代えて、ループアンテナ３０を介してＩＣカード又はＩＣタグに情報を書き込む（記録する）ライタ部を備える構成としてもよい。また、ハンディターミナル１０が、リーダ部１６に代えて、ループアンテナ３０を介して、ＩＣカード若しくはＩＣタグから情報を読み取り、又は、ＩＣカード若しくはＩＣタグに情報を記録するリーダ／ライタ部を備える構成としてもよい。
【００７７】
また、上記実施の形態及び変形例におけるハンディターミナル１０の各構成要素の細部構成及び細部動作に関しては、本発明の趣旨を逸脱することのない範囲で適宜変更可能であることは勿論である。
【符号の説明】
【００７８】
１０  ハンディターミナル
１１  ＣＰＵ
１２  操作部
１３  ＲＡＭ
１４  表示部
１５  ＲＯＭ
１６  リーダ部
１７  フラッシュメモリ
１８  通信部
１９  スキャナ部
２０  Ｉ／Ｆ部
２１  バス
３０  ループアンテナ
３０Ａ，３０Ｂ  回路部
３１，３２  コイル
３３，３４  コンデンサ
４０  同軸ケーブル
Ｐ  給電点
【図１】
2010252203.tif 000005
【図２】
2010252203.tif 000006
【図３】
2010252203.tif 000007
【図４】
2010252203.tif 000008
【図５】
2010252203.tif 000009
【図６】
2010252203.tif 000010